(57)【要約】【課題】本発明の目的は、本形式のクランプ部品を有するクランプ部品および保持装置を提供することであり、それは使用可能なおよび異材質厚み幅を有する梁に相互に急速に取り付け可能である。【解決手段】ネジ（１７）への接着のための保持装置は、クランプ部品（Ａ）を導入するための中空ベース部材（１０）と、前記中空ベース部材は、穴部（１８）を有する底部（１１）を有し、クランプ部品の円錐状の本体の外面（２３）を接触させるために円錐のように保持装置の底部上のベース部材の内面（２２）を実装し、クランプ部品は、穴部の中に挿入されてクランプ部品の開口部（２）を貫通して噛み合うネジおよびそれ自体の軸周辺において保持装置を回転させることによって底部の方向に下降して移動される。【選択図】図４
2009510345.tif 000002
【特許請求の範囲】
【請求項１】
円錐状の本体（１）を有するクランプ部品であって、
前記クランプ部品の中心の開口部（２）は、前記本体（１）の長手方向で動作し、
前記クランプ部品（Ａ）の縦軸に対して主として垂直な少なくとも１つのスロット（５ａ、５ｂ、５ｃ）を設け、
前記開口部（２）に十分に離隔して突設するインサート部材（７ａ、７ｂ、７ｃ）を導入するために、前記本体（１）の側面部（４）に実装され、
前記開口部（２）を貫通するネジ（１７）のスレッドに対する相対物として使用される、ことを特徴とするクランプ部品。
【請求項２】
前記スロット（５ａ、５ｂ、５ｃ）は、前記インサート部材（７ａ、７ｂ、７ｃ）の捩れを防止する、ことを特徴とする請求項１に記載のクランプ部品。
【請求項３】
前記インサート部材（７ａ、７ｂ、７ｃ）は、前記本体（１）の外面（２３）の向こうに部分的に外側に前記スロット（５ａ、５ｂ、５ｃ）が突設する、ことを特徴とする請求項１又は２に記載のクランプ部品。
【請求項４】
前記インサート部材（７ａ、７ｂ、７ｃ）は、円形環状体形状を有する、ことを特徴とする請求項１乃至３のいずれか１つに記載のクランプ部品。
【請求項５】
各々１つのインサート部材（７ａ、７ｂ、７ｃ）を導入するために、一方平面にある前記本体（１）の円周周辺で互いに少し離れて３つのスロット（５ａ，５ｂ、５ｃ）を有する、ことを特徴とする請求項１乃至４のいずれか１つに記載のクランプ部品。
【請求項６】
前記インサート部材（７ａ、７ｂ、７ｃ）は、金属製の薄板でできている、ことを特徴とする請求項１乃至５のいずれか１つに記載のクランプ部品。
【請求項７】
前記円錐状の本体（１）は、前記クランプ部品（Ａ）の周囲に連結される前記開口部（２）を介して前記クランプ部品（Ａ）の前記長手方向の前記側面部（４）に流れているギャップ（３）を有する、ことを特徴とする請求項１乃至６のいずれか１つに記載のクランプ部品。
【請求項８】
請求項１乃至７のいずれか１つに記載の前記クランプ部品（Ａ）を導入するための中空ベース部材（１０）を含む、ネジ（１７）を取り付けるための保持装置であって、
前記中空ベース部材（１０）は、穴部（１８）を有する底部（１１）を有し、
前記中空ベース部材（１０）の内面（２２）は、前記クランプ部品（Ａ）の前記円錐状の本体（１）の外面（２３）を接触させる保持装置（９）の底部上に円錐状に実装され、
前記クランプ部品（Ａ）は、前記穴部（１８）の中に挿入されて前記クランプ部品（Ａ）の前記開口部（２）を貫通して噛み合うネジ（１７）およびそれ自体の軸周辺において保持装置（９）を回転させることによって前記底部（１１）の方向に下降して移動される、ことを特徴とする保持装置。
【請求項９】
前記中空ベース部材（１０）に嵌入される移動ロック機構（１０）を有し、
前記中空ベース部材（１０）から前記クランプ部品（Ａ）が抜け落ちることを防止する、ことを特徴とする請求項８に記載の保持装置。
【請求項１０】
前記移動ロック機構（２４）は、前記中空ベース部材（１０）の前記内面（２２）に支持可能であり、
保持装置（９）が前記ネジ（１７）に取り付けられる場合に、前記ネジ（１７）は、前記移動ロック機構（２４）を貫通する、ことを特徴とする請求項９に記載の保持装置。
【請求項１１】
前記移動ロック機構（２４）は、シーガー・リングである、ことを特徴とする請求項１０に記載の保持装置。
【請求項１２】
線を保持する保持器（１３）は、保持装置（９）の底部（１１）の反対側に直径に沿った領域（１２）の上に形成される、ことを特徴とする請求項８乃至１１のいずれか１つに記載の保持装置。
【請求項１３】
プラスチック材料から射出成形される、ことを特徴とする請求項８乃至１２のいずれか１つに記載の保持装置。
【発明の詳細な説明】
【技術分野】
【０００１】
［関連出願の参照］本出願は、２００５年９月２８日に出願の米国仮特許出願第６０／７２１，３９７号明細書および２００５年９月２８日に出願の独国特許出願第１０  ２００５  ０４６  ３６２．２号明細書の出願日の利益を主張するものであり、その開示を参照することによって本明細書に援用される。
【０００２】
本発明は、クランプ部品およびクランプ部品を有する保持器または保持装置に関し、特に、航空機において、電気的配線ストランド、パイプ、などを保持するための多目的な保持具に関する。
【背景技術】
【０００３】
航空機において、ケーブル保持器が電気配線経路、配管、その他、種々の領域において、保持して導くために使用される。
保持器は、低重量にするために好ましくはプラスチックできている。
保持器は、梁またはフレーム、その他の具体的な接続状況に合わせて各々調整される。
この目的のために、スクリュー・ナット接続が一般的に使用される。
【０００４】
上記周知の保持器の不利な点は、上記構造部品を変更する場合に、保持器のコストと時間がかかる変更が必要になることにある。
射出成形型の変更は、特に複雑かつ高コストである。
【発明の開示】
【発明が解決しようとする課題】
【０００５】
本発明の目的は、本形式のクランプ部品を有するクランプ部品および保持装置を提供することであり、それは使用可能なおよび異材質厚み幅を有する梁に相互に急速に取り付け可能である。
【０００６】
本発明の目的は、請求項１および８に示すように達成することができることにある。本発明の改善は、従属請求項において特定される。
【課題を解決するための手段】
【０００７】
本発明の例示的実施態様によるクランプ部品は、円錐状の本体（開口部が本体の長手方向で動作する中心による）を有する。
少なくとも一つのスロットは、本体の側面部において設置される、クランプ部品の長手方向にインサート部材を導入するために主として垂直に設ける。
スロットは、インサート部材がスロットに導入される場合に、開口部の中に挿入されているネジのスレッドに相対物を形成するために、開口部にインサート部材を突設するように実装される。
【０００８】
インサート部材が、本体に関して捩り作業に対して固定されるようにスロットも実装される。
【０００９】
クランプ部品の改良によれば、インサート部材は、本体の外面の向こうのスロットから、外へ部分的に突設する。
【００１０】
クランプ部品の例示的実施形態によれば、インサート部材は、円形環状体の形状を有する。
好ましくは、３つのスロットは本体において互いに少し離れて周辺で実装される、１つ平面にあって、各々１つインサート部材を導入するために、本体の円周、それは好ましくは薄板でできている。
【００１１】
クランプ部品の改善によれば、円錐状の本体は、クランプ部品の長手方向で動作する側面部のギャップを有し、クランプ部品の周囲に本体の中心を貫通している開口部を連結する。
締め付け効果は、このように更に改良される。
【００１２】
本発明の例示的実施形態によれば、保持装置は、ネジを取付けるために使用され、請求項１乃至７のいずれか１つに記載のクランプ部品を導入するために、穴部を有する底部を有する中空ベース部材を含む。
円錐状のように、保持装置の底部上のベース部材の内面は、クランプ部品の円錐状の本体の外面が対応して接触するように実装される。
保持装置をそれ自体の軸周辺で回転させることによって、クランプ部品は、保持装置の底部の方向に、「下降して」移動され、クランプ部品がネジに噛み合い（クランプ）、保持装置の穴部に挿入され、クランプ部品の開口部を貫通する。
【００１３】
例示的実施形態によれば、保持装置は、同様に、中空ベース部材に挿入されたクランプ部品から保持装置が抜け落ちることを防止するために、中空ベース部材において位置する移動ロックを有する。
【００１４】
本発明の例示実施態様によれば、移動ロック機構は、中空ベース部材の内面に支持されて係合する、例えば、ベース部材の内面の円周を走り回っている溝において、保持装置があるネジは、移動ロック機構が形成される開口部を貫通して取り付けられる。
【００１５】
例示的実施形態によれば、移動ロック機構は、シーガー・リングとして実装されるかまたは構成される。
【００１６】
保持装置の改善によれば、保持装置の底部の反対側に、直径に沿って端部で保持具を有し、電気配線・ストランド、配管などを保持することができる。
【００１７】
本発明による保持装置は、プラスチック材料からなり、例えば、射出成形される。
【発明を実施するための最良の形態】
【００１８】
以下に、本発明の好適な例示的実施態様を添付の図面を参照しながら説明する。
以下に、同じ参照番号が、異なる図の同一部品又は対応する部品のために使用される。
【００１９】
図１は、本発明の例示的実施態様による、クランプ部品Ａの透視図を示す。
【００２０】
図１に示すように、クランプ部品Ａは、円錐状の本体１を有し、開口部２が中心に貫通する。
後述するように、開口部２はネジ（図示せず）を受け止めるために使用され、これにクランプ部品Ａを使用する保持装置が取り付けられる。図４に関しては後述する。
【００２１】
同様に、図１に示すクランプ部品はギャップ３を有し、開口部２をクランプ部品Ａの外部周囲に連結する。
ギャップ３は、クランプ部品Ａの長手方向で動作して、クランプ部品Ａの締め付け効果を改良するために使用される。
締付けられた状態において、ギャップ３は、抑圧されない状態においてより狭い。
【００２２】
３つの分離したスロット５ａ、５ｂおよび５ｃは、クランプ部品の側面部４に実装され、側面部４によるクランプ部品Ａの長手方向に主として垂直にそれぞれ動作し、開口部２をクランプ部品Ａの外部周囲に連結する。
【００２３】
スロット５ａ、５ｂおよび５ｃは、クランプ部品Ａの側面部４において形成される凹部６ａ、６ｂおよび６ｃによって、互いからそれぞれ切り離される。
【００２４】
スロット５ａ−５ｃは、例えば薄板インサート部材のようなインサート部材を受け止めるために使用され、図２により詳細に説明する。
【００２５】
図２は、３つの薄板インサート部材７ａ、７ｂおよび７ｃを示し、クランプ部品Ａのスロット５ａ、５ｂおよび５ｃにそれぞれ挿入することができ、クランプ部品１のスロット５ａ−５ｃが、薄板挿入片７ａ−７ｃの捩り作業ができないように実装される。
【００２６】
図２に示すように、例示的実施形態によれば、
薄板挿入片７ａ−７ｃは、円形環状体の形で各々実装される、１つの平面に位置して、互いから一様に離間する。
クランプ部品１のスロット５ａ−５ｃに挿入された薄板挿入片７ａ−７ｃは、開口部２に対向する領域８ａ、８ｂおよび８ｃが開口部２を貫通しているネジ（図示せず）のスレッドにおいて係合するように実装される。
【００２７】
例示的実施形態によれば、薄板挿入片７ａ−７ｃは、金属製であるが、スレッドに係合するためのネジに対して相対物として適している他の任意の材料製でもよい。
【００２８】
薄板挿入片７ａ−７ｃは、例えば、１片から形成されてもよく、本体１に関して捩り作業から固定されればよい。
【００２９】
図３は、例示的実施形態による、図１のクランプ部品Ａを含む保持器または保持装置９の平面図を示す。
【００３０】
保持装置９は、クランプ部品Ａが挿入されている中空ベース部材１０を含む。
クランプ部品Ａは、同様に、図３に示していなが、図４により拡大して詳細に示すように、保持装置９の底部１１の領域に設置される。
【００３１】
図３に示すように、保持装置９は、保持装置９の底部１１とは反対側に、直径に沿って領域１２上に保持具または保持器１３を有する。
保持具１３は、好ましくはプラスチックから射出成形され、中空ベース部材１０を有する一部分に実装される。
これに代わって、保持具１３は、別に製造されてもよく、種々の材料を備えてもよく、中空ベース部材１０の上に配置される。
【００３２】
保持器１３の中間領域１４は、同様に、中空として実装され、図１のクランプ部品が、保持装置９の中空ベース部材１０の中に、図３において上方から挿入される。
【００３３】
図３に示すように、保持器１３は、側面領域１５、１６を有し、配線（例えば電気配線・ストランド、配管、等）を支持可能なように設計される。
この種の領域は、支持される配線の本数に従って実装してもよい。
【００３４】
図４は、挿入されたクランプ部品Ａを有する図３の保持装置９の一部分の断面図を示す。
【００３５】
図４に示す具体例は、ネジ１７に取り付けられる図３の保持装置９を示す。
図４のネジ１７は、クランプ装置９の中空ベース部材１０の底部１１に実装される穴部１８を通って、下から挿入され、クランプ部品Ａの本体１の開口部２を貫通する。
ネジ１７の頭部１９の（真正面から）反対側のネジ１７の端部２０は、保持装置９のベース部材１０の空洞２１に通じている。
【００３６】
ネジ１７は、長軸梁またはフレーム（図示せず）中を導かれ、例えば、保持装置９はネジ１７を締めることで上記梁またはフレームに取り付けられる。
【００３７】
図４に示すように、中空ベース部材１０の内面２２は円錐状に実装され、クランプ部品の本体１の円錐状に実装された外面２３に接触させる。
【００３８】
図４に示すように、移動ロック機構２４は、保持装置９のベース部材１０の空洞２１に導入される、例えば、シーガー・リングである。
シーガー・リング２４は、ネジ１７上の反対圧力または保持装置９の相対物の場合には、保持装置９を設置している間の移動ロック機構として使用される。
【００３９】
図４に示すように、シーガー・リング２４は、ベース部材１０の内面の円周において形成される凹部２５に係合して支持される。
【００４０】
保持装置９をそれ自体の軸周辺で回転させることによって、クランプ部品がネジ１７を内側に締付ける（噛み合う）ことに起因して、クランプ部品Ａは、底部１１の方向に下降して移動される。
【００４１】
図５は、側面から見た図３の保持装置９の一部分の断面図を示す。
【００４２】
図６は、上記部分から見た図３の保持装置９の一部分の断面図を示す。
【００４３】
図６に示すように、ベース部材１０の凹部２５に係合する移動ロック機構２４は、開放領域２６が見えるように実装される、移動ロック機構２４の２つの自由端部２７、２８が取り除くかまたは移動ロック機構２４を嵌入することが可能なように、それぞれ凹部２５および中空ベース部材１０が互いの方向へ押圧されてもよい。
【００４４】
本発明が航空機の分野の出願に関しての特徴を記載したにも係わらず、本発明によるクランプ部品および本発明の前記の保持装置は、保持器を使用する必要がある他の分野においても、同様に使用してもよく、種々の物質的な厚さを有している梁に使用可能であり、かつ、速やかに取り付け可能であることは明らかである。
【００４５】
「備える」という語は、その他の部材又はステップを排除せず、「１つの」は、複数を排除しないことに注意を要する。
さらにまた、上記の例示的実施形態の１つを参照して説明した特徴またはステップは、上記の他の例示的実施形態の他の特徴またはステップと組み合わせて使用できることを指摘する。
特許請求の範囲における参照符号は、限定として解釈すべきではない。
【図面の簡単な説明】
【００４６】
【図１】本発明の好適な例示的な実施態様による、クランプ部品を示す透視図である。
【図２】図１のクランプ部品の薄板のインサート部材を示す断面図である。
【図３】図１のクランプ部品を含む、好適な例示的実施形態による保持装置を示す側面図である。
【図４】図３の保持装置の一部分を示す断面図である。
【図５】図３の保持装置を側面から見た一部分を示す断面図である。
【図６】図３の保持装置の一部分を示す断面図である。
【符号の説明】
【００４７】
Ａ  クランプ部品
１  本体
２  開口部
３  ギャップ
４  側面部
５ａ−５ｃ  スロット
６ａ−６ｃ  凹部
７ａ−７ｃ  薄板インサート部材
８ａ−８ｃ  領域
９  保持装置
１０  ベース部材
１１  底部
１２  正反対の領域
１３  保持器
１４  中間の領域
１５、１６  側面領域
１７  ネジ
１８  穴部
１９  頭部
２０  端部
２１  空洞
２２  内面
２３  外面
２４  移動ロック機構
２５  凹部
２６  開放区域
２７、２８  移動ロック機構の自由端部
【図１】
2009510345.tif 000003
【図２】
2009510345.tif 000004
【図３】
2009510345.tif 000005
【図４】
2009510345.tif 000006
【図５】
2009510345.tif 000007
【図６】
2009510345.tif 000008
【国際調査報告】
2009510345.tif 000009
2009510345.tif 000010